(57)【要約】  【課題】  ゴルフプレーヤによるゴルフクラブ及びスイングの少なくとも一方の選択を支援することができるゴルフプレー支援具を提供する。  【解決手段】  ゴルフプレー支援具２０は、ゴルフプレーヤ９０のプレーを支援するためにゴルフクラブ１１に固定されるゴルフプレー支援具であって、ゴルフプレーヤ９０によるゴルフクラブ１１のスイングと、そのスイングによってゴルフプレーヤ９０がゴルフクラブ１１でゴルフボールを打ったときのゴルフボールの移動距離との対応関係を表示する対応関係表示シート２１を備えることを特徴とする。【選択図】  図３
2008200351.tif 000002
【特許請求の範囲】
【請求項１】
ゴルフプレーヤのプレーを支援するためにゴルフクラブに固定されるゴルフプレー支援具であって、
前記ゴルフプレーヤによる前記ゴルフクラブのスイングと、前記ゴルフプレーヤが前記ゴルフクラブで前記スイングによってゴルフボールを打ったときの前記ゴルフボールの移動距離との対応関係を表示する対応関係表示シートを備えることを特徴とするゴルフプレー支援具。
【請求項２】
前記移動距離は、前記ゴルフボールが打たれてから着地するまでの距離であるキャリー距離と、前記ゴルフボールが打たれて着地してから停止するまでの距離であるラン距離とを含むことを特徴とする請求項１に記載のゴルフプレー支援具。
【請求項３】
前記移動距離は、前記ゴルフクラブがパターである場合、グリーンの複数の傾斜の程度に対する移動距離を含むことを特徴とする請求項１に記載のゴルフプレー支援具。
【請求項４】
前記対応関係表示シートは、前記対応関係が調べられたときにおける前記移動距離に影響する外部環境の特徴が表示されていることを特徴とする請求項１に記載のゴルフプレー支援具。
【請求項５】
前記対応関係表示シートを収納する収納部材を備えることを特徴とする請求項１に記載のゴルフプレー支援具。
【請求項６】
前記対応関係表示シートを保護する保護部材を備えることを特徴とする請求項１に記載のゴルフプレー支援具。
【請求項７】
ゴルフプレーヤによるゴルフクラブのスイングと、前記ゴルフプレーヤが前記ゴルフクラブで前記スイングによってゴルフボールを打ったときの前記ゴルフボールの移動距離との対応関係を表示する対応関係表示シートを作成するためにコンピュータに読み込まれるテンプレートデータであって、
前記対応関係表示シートは、前記ゴルフクラブに固定される大きさであることを特徴とするテンプレートデータ。
【請求項８】
請求項１から請求項６までの何れかに記載のゴルフプレー支援具が固定されていることを特徴とするゴルフクラブ。
【請求項９】
前記対応関係表示シートがヘッド側を表示における上側にしてシャフト及びグリップの少なくとも一方に固定されていることを特徴とする請求項８に記載のゴルフクラブ。
【発明の詳細な説明】
【技術分野】
【０００１】
本発明は、ゴルフプレーヤのプレーを支援するためのゴルフプレー支援具に関する。
【背景技術】
【０００２】
ゴルフクラブには、非常に様々な種類がある。例えば、ゴルフクラブは、ウッド、アイアン、パターなどに種類が分けられている。また、ウッド、アイアンなどは、更に細かく種類が分けられている。更に、従来、様々な新しいゴルフクラブが開発されている（例えば、特許文献１参照。）。
【特許文献１】特開２００６−２８０９７３号公報
【発明の開示】
【発明が解決しようとする課題】
【０００３】
ゴルフクラブには非常に様々な種類があるため、どのゴルフクラブを選択することが適切であるかについてゴルフプレーヤが迷うことが多いという問題がある。
【０００４】
また、同じゴルフクラブであってもスイングによってゴルフボールの移動距離が異なるが、例えばフルショットのスイング、スリークオーターショットのスイング、ハーフショットのスイングなどの力加減の違うスイングや、チップショットのスイング、ピッチエンドランのスイング、ピッチショットのスイング、ロブショットのスイング、バンカーショットのスイング、パンチショットのスイング、ストレートボールを打つためのスイング、フェードボールを打つためのスイング、カットボールを打つためのスイング、ドローボールを打つためのスイング、高い球を打つためのスイング、低い球を打つためのスイング、ゴルフボールが転がり易いグリーンにおけるパッティングのスイング、ゴルフボールが転がり難いグリーンにおけるパッティングのスイング、上り傾斜のラインにおけるパッティングのスイング、下り傾斜のラインにおけるパッティングのスイングなどの非常に多くのスイングがあるため、どのようなスイングでゴルフボールを打つことが適切であるかについてゴルフプレーヤが迷うことが多いという問題もある。
【０００５】
そこで、本発明は、ゴルフプレーヤによるゴルフクラブ及びスイングの少なくとも一方の選択を支援することができるゴルフプレー支援具を提供することを目的とする。
【課題を解決するための手段】
【０００６】
本発明のゴルフプレー支援具は、ゴルフプレーヤのプレーを支援するためにゴルフクラブに固定されるゴルフプレー支援具であって、前記ゴルフプレーヤによる前記ゴルフクラブのスイングと、前記ゴルフプレーヤが前記ゴルフクラブで前記スイングによってゴルフボールを打ったときの前記ゴルフボールの移動距離との対応関係を表示する対応関係表示シートを備えることを特徴とする。
【０００７】
この構成により、本発明のゴルフプレー支援具は、ゴルフプレーヤによるスイングと、ゴルフボールの移動距離との対応関係をゴルフクラブ毎に表示しているので、ゴルフプレーヤによるゴルフクラブ及びスイングの少なくとも一方の選択を支援することができる。
【０００８】
また、本発明のゴルフプレー支援具の前記移動距離は、前記ゴルフボールが打たれてから着地するまでの距離であるキャリー距離と、前記ゴルフボールが打たれて着地してから停止するまでの距離であるラン距離とを含むことが好ましい。
【０００９】
この構成により、本発明のゴルフプレー支援具は、プレーの状況に応じてゴルフプレーヤにキャリー距離及びラン距離を考慮させながらゴルフクラブ及びスイングの少なくとも一方を選択させることができる。
【００１０】
また、本発明のゴルフプレー支援具の前記移動距離は、前記ゴルフクラブがパターである場合、グリーンの複数の傾斜の程度に対する移動距離を含むことが好ましい。
【００１１】
この構成により、本発明のゴルフプレー支援具は、実際のグリーンの傾斜の程度をゴルフプレーヤに考慮させながら、ゴルフプレーヤにパターのスイングを選択させることができる。
【００１２】
また、本発明のゴルフプレー支援具の前記対応関係表示シートは、前記対応関係が調べられたときにおける前記移動距離に影響する外部環境の特徴が表示されていることが好ましい。
【００１３】
この構成により、本発明のゴルフプレー支援具は、実際の外部環境の特徴をゴルフプレーヤに考慮させながら、ゴルフプレーヤにゴルフクラブ及びスイングの少なくとも一方を選択させることができる。
【００１４】
また、本発明のゴルフプレー支援具は、前記対応関係表示シートを収納する収納部材を備えることが好ましい。
【００１５】
この構成により、本発明のゴルフプレー支援具は、対応関係表示シートの更新を容易化することができる。
【００１６】
また、本発明のゴルフプレー支援具は、前記対応関係表示シートを保護する保護部材を備えることが好ましい。
【００１７】
この構成により、本発明のゴルフプレー支援具は、外部からの物理的な接触や浸水による対応関係表示シートの破損、紫外線等の光線による対応関係表示シートの表示の退色などを抑制することができる。
【００１８】
また、本発明のテンプレートデータは、ゴルフプレーヤによるゴルフクラブのスイングと、前記ゴルフプレーヤが前記ゴルフクラブで前記スイングによってゴルフボールを打ったときの前記ゴルフボールの移動距離との対応関係を表示する対応関係表示シートを作成するためにコンピュータに読み込まれるテンプレートデータであって、前記対応関係表示シートは、前記ゴルフクラブに固定される大きさであることを特徴とする。
【００１９】
この構成により、本発明のテンプレートデータは、ゴルフプレーヤによるスイングと、ゴルフボールの移動距離との対応関係をゴルフクラブ毎に表示することができるので、ゴルフプレーヤによるゴルフクラブ及びスイングの少なくとも一方の選択を支援することができる。
【００２０】
また、本発明のゴルフクラブは、ゴルフプレー支援具が固定されていることを特徴とする。
【００２１】
この構成により、本発明のゴルフクラブは、ゴルフプレーヤによるスイングと、ゴルフボールの移動距離との対応関係を表示する対応関係表示シートが固定されているので、ゴルフプレーヤによるゴルフクラブ及びスイングの少なくとも一方の選択を支援することができる。
【００２２】
また、本発明のゴルフクラブは、前記対応関係表示シートがヘッド側を表示における上側にしてシャフト及びグリップの少なくとも一方に固定されていることが好ましい。
【００２３】
この構成により、本発明のゴルフクラブは、ゴルフプレーヤにグリップが握られたときに、ゴルフプレーヤに対応関係表示シートを容易に目視させることができる。
【発明の効果】
【００２４】
本発明によれば、ゴルフプレーヤによるゴルフクラブ及びスイングの少なくとも一方の選択を支援することができるゴルフプレー支援具を提供することができる。
【発明を実施するための最良の形態】
【００２５】
以下、本発明の実施の形態について、図面を用いて説明する。
【００２６】
（第１の実施の形態）
まず、第１の実施の形態に係るゴルフクラブセットの構成について説明する。
【００２７】
図１は、本実施の形態に係るゴルフクラブセット１０の斜視図である。
【００２８】
図１に示すように、ゴルフクラブセット１０は、複数本のゴルフクラブ１１と、複数本のゴルフクラブ１１を収納したゴルフバック１５とを備えている。例えば、複数本のゴルフクラブ１１は、３種類のウッド１２と、５種類のアイアン１３と、１種類のパター１４とによって構成されている。
【００２９】
図２は、ゴルフクラブ１１の正面図である。図３は、ゴルフクラブ１１に固定されたゴルフプレー支援具２０の正面図である。
【００３０】
図２及び図３に示すように、ゴルフクラブ１１は、ゴルフボールを打つためのヘッド１１ａと、ヘッド１１ａに取り付けられたシャフト１１ｂと、ゴルフプレーヤ９０に握られるためにシャフト１１ｂに取り付けられたグリップ１１ｃと、シャフト１１ｂに固定されたゴルフプレー支援具２０とを備えている。
【００３１】
ゴルフプレー支援具２０は、ゴルフプレーヤ９０によるゴルフクラブ１１のスイングと、そのスイングによってゴルフプレーヤ９０がゴルフクラブ１１でゴルフボールを打ったときのゴルフボールの移動距離との対応関係（以下「スイング移動距離対応関係」という。）を自身が固定されているゴルフクラブ１１について表示する紙製の対応関係表示シート２１と、対応関係表示シート２１を覆って保護する保護部材としての透明な保護シール２２とを備えている。保護シール２２は、片面に粘着面が形成されていて、粘着面で対応関係表示シート２１を覆いながらシャフト１１ｂに貼り付けられている。対応関係表示シート２１は、ヘッド１１ａ側を表示における上側にして保護シール２２によってシャフト１１ｂに貼り付けられている。また、対応関係表示シート２１は、幅方向の両端が重ならないように幅がシャフト１１ｂの周より短くなっている。対応関係表示シート２１は、シャフト１１ｂが回転させられなくてもスイング移動距離対応関係がゴルフプレーヤ９０に一目で視認され得るように幅がシャフト１１ｂの半周より短くなっていると更に好ましい。
【００３２】
図４は、ゴルフプレー支援具２０（図３参照。）の対応関係表示シート２１の一例の正面図である。
【００３３】
図４に示すように、対応関係表示シート２１は、左から１列目の上から１行目に配置されてゴルフクラブ１１（図２参照。）の種類を表示する種類表示欄２１ａと、左から２列目以降で上から１行目に配置された列見出し欄２１ｂと、左から１列目で上から２行目以降に配置された行見出し欄２１ｃと、左から２列目以降で上から２行目以降に配置されたデータ欄２１ｄとを有している。
【００３４】
種類表示欄２１ａは、対応関係表示シート２１が固定されているゴルフクラブ１１がアイアン１３のうちロフト５８度のサンドウェッジであることを示す"ＳＷ５８"が表示されている。
【００３５】
列見出し欄２１ｂは、ゴルフボールが打たれてから着地するまでの距離であるキャリー距離を示す"キャリー"と、ゴルフボールが打たれて着地してから停止するまでの距離であるラン距離を示す"ラン"と、キャリー距離及びラン距離の合計であるトータル距離を示す"トータル"とが表示されている。
【００３６】
行見出し欄２１ｃは、通常のコントロールショットの９段階の力加減のスイングを示す"ｃｏｎｔｒｏｌ"の"ド"から１オクターブ上の"レ"までと、フルショットの１段階の力加減のスイングを示す"ｆｕｌｌ"の"ド"と、チップショットの３段階の力加減のスイングを示す"ｃｈｉｐ"の"ド"から"ミ"までとが表示されている。
【００３７】
データ欄２１ｄは、各行各列のデータが表示されている。例えば、コントロールショットの"ミ"のスイングによってゴルフプレーヤ９０がサンドウェッジでゴルフボールを打ったとき、ゴルフボールの移動距離は、キャリー距離、ラン距離、トータル距離がそれぞれ１９．２ｍ、４．８ｍ、２４ｍであることが表示されている。
【００３８】
図５は、ゴルフプレー支援具２０（図３参照。）の対応関係表示シート２１の図４に示す例とは異なる例の正面図である。
【００３９】
図５に示すように、対応関係表示シート２１は、左から１列目の上から１行目に配置されてゴルフクラブ１１（図２参照。）の種類を表示する種類表示欄２１ａと、左から２列目以降で上から２行目、３行目に配置された列見出し欄２１ｂと、左から１列目で上から２行目以降に配置された行見出し欄２１ｃと、左から２列目以降で上から３行目以降に配置されたデータ欄２１ｄと、下から１行目に配置されたメモ欄２１ｅとを有している。
【００４０】
種類表示欄２１ａは、対応関係表示シート２１が固定されているゴルフクラブ１１がパター１４であることを示す"Ｐｕｔｔｅｒ"が表示されている。
【００４１】
列見出し欄２１ｂの上から１行目は、グリーンの傾斜の程度を示す"上り２"、"上り１"、"平坦"、"下り１"、"下り２"が表示されており、列見出し欄２１ｂの上から２行目は、グリーンの傾斜が平坦である場合に対するデータの補正係数である"×０．８"、"×０．９"、"×１．０"、"×１．２５"、"×１．５"が表示されている。
【００４２】
行見出し欄２１ｃの上から１行目、２行目は、列見出し欄２１ｂの上から１行目、２行目に対する行見出しである"傾斜"、"補正係数"が表示されており、行見出し欄２１ｃの上から３行目以降は、１５段階の力加減のスイングを示す"ド"から２オクターブ上の"ド"までが表示されている。
【００４３】
データ欄２１ｄは、各行各列のデータが表示されている。例えば、２つある"ソ"のうち音階が低い方のスイングによってゴルフプレーヤ９０がパター１４でゴルフボールを打ったとき、ゴルフボールの移動距離は、グリーンの傾斜の程度が"上り２"、"上り１"、"平坦"、"下り１"、"下り２"でそれぞれ８ｍ、９ｍ、１０ｍ、１２．５ｍ、１５であることが表示されている。
【００４４】
メモ欄２１ｅには、対応関係表示シート２１を作成した年月日や、対応関係表示シート２１の作成に使用したグリーンの芝目や速さなどの特徴が表示される。なお、メモ欄２１ｅは、もちろん図４に示すサンドウェッジの対応関係表示シート２１にも設けられていても良い。サンドウェッジの対応関係表示シート２１のメモ欄２１ｅには、対応関係表示シート２１を作成した年月日や、対応関係表示シート２１の作成に使用したバンカーの砂の質や量などの特徴が表示される。
【００４５】
なお、ウッド１２（図１参照。）や、サンドウェッジ以外のアイアン１３（図１参照。）に固定される対応関係表示シート２１は、スイング移動距離対応関係の内容に関しては、サンドウェッジやパター１４に固定される対応関係表示シート２１とそれぞれ異なるが、構成に関しては、サンドウェッジやパター１４に固定される対応関係表示シート２１と同様である。
【００４６】
次に、ゴルフプレー支援具２０の作成方法について説明する。
【００４７】
図６は、ゴルフプレー支援具２０（図３参照。）の作成キット３０の構成図である。図７は、作成キット３０の紙３２の正面図であって、スイング移動距離対応関係が印刷された状態を示す図である。図８は、紙３２の正面図であって、スイング移動距離対応関係の手書き用の記入欄が印刷された状態を示す図である。
【００４８】
図６に示すように、作成キット３０は、対応関係表示シート２１（図３参照。）を作成するための表計算ソフト用のテンプレートデータが格納されたフレキシブルディスクなどの記録媒体３１と、対応関係表示シート２１の印刷用の複数枚の紙３２と、複数枚の保護シール２２とを有している。テンプレートデータの印刷の設定は、対応関係表示シート２１がゴルフクラブ１１（図２参照。）に固定されることに適したサイズになるように行われている。
【００４９】
まず、ゴルフプレーヤ９０（図２参照。）は、ゴルフ練習場などで実際にゴルフボールを打って、ゴルフプレーヤ９０自身が使用するゴルフクラブ１１毎にスイング移動距離対応関係を調べる。なお、ゴルフプレーヤ９０は、大型ゴルフショップやゴルフスクールなどが提供しているコンピュータを利用した弾道シミュレータによって、ゴルフプレーヤ９０自身が使用するゴルフクラブ１１毎にスイング移動距離対応関係を調べても良い。
【００５０】
そして、ゴルフプレーヤ９０は、記録媒体３１に格納されたテンプレートデータを読み込み可能な表計算ソフトをパーソナルコンピュータで起動し、記録媒体３１に格納されたテンプレートデータを表計算ソフトによって読み込む。
【００５１】
次いで、ゴルフプレーヤ９０は、パーソナルコンピュータのキーボードなどの入力インターフェースを用いて、自身で調べたスイング移動距離対応関係を入力する。ゴルフプレーヤ９０は、対応関係表示シート２１を作成した年月日などの情報をメモ欄２１ｅ（図５参照。）に入力することもできる。これらの入力したデータは、将来にわたって保存することができ、いつでも閲覧し参考にすることができるので、更新される度に保存しておけばゴルフプレーヤ９０のプレーの上達の過程における参考にもなるし、ゴルフプレーヤ９０の体力の変化や、グリーンの特徴などの外部環境の特徴の変化などにゴルフプレーヤ９０が対応する際の参考にもなる。
【００５２】
次いで、ゴルフプレーヤ９０は、パーソナルコンピュータを用いてプリンタによってスイング移動距離対応関係を図７に示すように紙３２に印刷する。図７においては、上段にサンドウェッジのスイング移動距離対応関係のみが印刷されており、下段にパター１４のスイング移動距離対応関係のみが印刷されているが、他のゴルフクラブ１１のスイング移動距離対応関係も１枚の紙３２に同時に印刷されるようになっていても良い。ここで、対応関係表示シート２１がゴルフクラブ１１に固定されることに適したサイズになるようにテンプレートデータの印刷の設定が行われているので、ゴルフクラブ１１毎のスイング移動距離対応関係は、それぞれゴルフクラブ１１に固定されることに適したサイズで印刷される。
【００５３】
そして、ゴルフプレーヤ９０は、スイング移動距離対応関係を印刷した紙３２をゴルフクラブ１１毎に切り分けて対応関係表示シート２１を作成し、作成した対応関係表示シート２１に対応するゴルフクラブ１１毎に保護シール２２によって対応関係表示シート２１を貼り付けることによって、ゴルフプレー支援具２０を作成する。
【００５４】
ゴルフプレーヤ９０は、自身で調べたスイング移動距離対応関係をパーソナルコンピュータ上で入力せずに、図８に示すようにテンプレートデータの記入欄のみを印刷して、印刷された記入欄にスイング移動距離対応関係を手書きで記入して対応関係表示シート２１を作成しても良い。
【００５５】
なお、記録媒体３１は、ＣＤ−ＲＯＭなどのフレキシブルディスク以外の記録媒体であっても良い。
【００５６】
テンプレートデータは、例えばワープロソフトなどの表計算ソフト以外のアプリケーションのデータであっても良い。
【００５７】
また、テンプレートデータは、インターネットを通じてダウンロードできるようになっていても良い。この場合、記録媒体３１は、キット３０に含まれていなくても良い。
【００５８】
紙３２は、ゴルフプレーヤ９０に市販の紙を使用させる場合、キット３０に含まれていなくても良い。
【００５９】
また、紙３２は、図８に示すようにスイング移動距離対応関係を手書きで記入するための記入欄が最初から描かれていても良い。この場合、記録媒体３１は、キット３０に含まれていなくても良い。
【００６０】
保護シール２２は、ゴルフプレーヤ９０に市販の透明なシールを使用させる場合、キット３０に含まれていなくても良い。
【００６１】
なお、ゴルフプレー支援具２０は、ゴルフのラウンドの当日にゴルフクラブ１１に固定されても良い。例えば、パター１４に固定されるゴルフプレー支援具２０について説明する。
【００６２】
まず、ゴルフプレーヤ９０は、例えばゴルフのラウンドの前日以前に、ゴルフ練習場のグリーンなどで平坦面、上り、下りなどのグリーンの傾斜の程度毎に実際にパター１４によってゴルフボールを打って、スイング移動距離対応関係を調べる。
【００６３】
そして、ゴルフプレーヤ９０は、上述したように、記録媒体３１に格納されたテンプレートデータを利用して、自身で調べたスイング移動距離対応関係を入力し、スイング移動距離対応関係を紙３２に印刷して、図５に示すような対応関係表示シート２１を作成する。なお、ゴルフプレーヤ９０は、対応関係表示シート２１を作成した年月日や、対応関係表示シート２１の作成に使用したグリーンの芝目や速さなどの特徴を対応関係表示シート２１のメモ欄２１ｅに記録する。また、ゴルフプレーヤ９０は、グリーンの傾斜が平坦である場合に対するデータの補正係数が求まりそうな場合には、対応関係表示シート２１の列見出し欄２１ｂの上から２行目に補正係数を記録しても良い。
【００６４】
ゴルフプレーヤ９０は、メモ欄２１ｅに記載されたグリーンの特徴が異なる複数の対応関係表示シート２１を用意する。
【００６５】
そして、ゴルフプレーヤ９０は、ゴルフのラウンドの直前にゴルフコースの練習グリーンの特徴を調べ、調べた練習グリーンの特徴と、パター１４用に事前に用意しておいた複数の対応関係表示シート２１のメモ欄２１ｅに記載されたグリーンの特徴とを比較して、パター１４用に事前に用意しておいた複数の対応関係表示シート２１の中からゴルフのラウンドの当日の最適な対応関係表示シート２１を選択し、選択した対応関係表示シート２１を保護シール２２によってパター１４に貼り付けることによって、ゴルフプレー支援具２０を作成する。
【００６６】
なお、ゴルフプレーヤ９０は、例えばゴルフのラウンドの前日以前に図８に示すようにテンプレートデータの記入欄のみを印刷しておき、ゴルフのラウンドの直前にゴルフコースの練習グリーンでグリーンの傾斜の程度毎に実際にパター１４によってゴルフボールを打ってスイング移動距離対応関係を調べ、ゴルフのラウンドの直前にゴルフコースの練習グリーンで調べたスイング移動距離対応関係を手書きで記入欄に記入して対応関係表示シート２１を作成しても良い。
【００６７】
次に、ゴルフプレー支援具２０の使用方法について説明する。
【００６８】
図９は、ゴルフプレー支援具２０が固定された複数本のゴルフクラブ１１の正面図であって、ゴルフプレーヤ９０によって同時に持たれている状態を示す図である。
【００６９】
ゴルフプレーヤ９０は、ゴルフボールを打つ前に、ゴルフボールを打つために使用することを迷っている複数本のゴルフクラブ１１を図９に示すように同時に手に取る。
【００７０】
次いで、ゴルフプレーヤ９０は、各ゴルフクラブ１１に固定されたゴルフプレー支援具２０のスイング移動距離対応関係を見て、現在のプレーの状況において何れのゴルフクラブ１１が適切であるかを判断し、適切なゴルフクラブ１１を選択する。
【００７１】
同時に、ゴルフプレーヤ９０は、選択するゴルフクラブ１１を使用して、どのようなスイングでゴルフボールを打つことが適切であるかを判断する。
【００７２】
そして、ゴルフプレーヤ９０は、選択したゴルフクラブ１１を使用して、選択したスイングでゴルフボールを打つ。
【００７３】
なお、ゴルフプレーヤ９０は、スイング移動距離対応関係に表示されたゴルフボールの移動距離（以下「表示距離」という。）と、実際にゴルフボールを移動させたい距離（以下「目標距離」という。）とが一致しない場合であっても、スイング移動距離対応関係に基づいて適切なスイングを選択することができる。
【００７４】
例えば、目標距離が何れか２つの表示距離の間にある場合には、ゴルフプレーヤ９０は、この２つの表示距離に対して目標距離がどの程度離れているかということと、この２つの表示距離に対応する２つのスイングとに基づいて、この２つのスイングの中間的なスイングを適切なスイングとして類推することができる。具体例で説明すると、図４に示すスイング移動距離対応関係においてコントロールショットの"ファ"のスイングのデータが未だ無い状態であって、目標距離が３２ｍであるとき、ゴルフプレーヤ９０は、コントロールショットの"ミ"のスイングのトータル距離である２４ｍと、コントロールショットの"ソ"のスイングのトータル距離である４０ｍとの中間の距離が目標距離である３２ｍであることを考慮して、コントロールショットの"ミ"のスイングと、コントロールショットの"ソ"のスイングとの中間のスイング（即ち、コントロールショットの"ファ"のスイングと同等なスイングである。）を適切なスイングとして類推することができる。
【００７５】
また、目標距離が何れの２つの表示距離の間にもない場合には、ゴルフプレーヤ９０は、何れか２つの表示距離（例えば表示距離のうち目標距離に最も近い２つの表示距離）に対して目標距離がどの程度離れているかということと、この２つの表示距離に対応する２つのスイングとに基づいて、適切なスイングを類推することができる。具体例で説明すると、図４に示すスイング移動距離対応関係においてフルショットやコントロールショットの"ラ"以上のスイングのデータが未だ無い状態であって、目標距離が５６ｍであるとき、ゴルフプレーヤ９０は、コントロールショットの"ファ"のスイングのトータル距離である３２ｍと、コントロールショットの"ソ"のスイングのトータル距離である４０ｍとの差である８ｍを２倍した１６ｍを、コントロールショットの"ソ"のスイングのトータル距離である４０ｍに加算した距離が目標距離である５６ｍであることを考慮して、コントロールショットの"ファ"のスイングの力加減と、コントロールショットの"ソ"のスイングの力加減との差を２倍した力加減を、コントロールショットの"ソ"のスイングの力加減に加算したスイング（即ち、コントロールショットの"シ"のスイングと同等なスイングである。）を適切なスイングとして類推することができる。
【００７６】
以上に説明したように、ゴルフプレー支援具２０は、ゴルフプレーヤ９０のスイング移動距離対応関係をゴルフクラブ１１毎に表示しているので、ゴルフプレーヤ９０によるゴルフクラブ１１及びスイングの少なくとも一方の選択を支援することができる。
【００７７】
ゴルフプレーヤ９０は、ゴルフクラブ１１及びスイングの選択と、ゴルフボールの移動距離との関係を全く記憶していない場合であっても、ゴルフクラブ１１及びスイングを従来のように勘で適当に選択するのではなく、ゴルフプレー支援具２０を使用して計画的に選択することができる。したがって、ゴルフプレーヤ９０は、従来より良いスコアを出すことができるとともに、自分のプレーに対して従来より大きな達成感や爽快感を得ることができる。
【００７８】
また、ゴルフプレーヤ９０は、ゴルフクラブ１１及びスイングの選択と、ゴルフボールの移動距離との関係をある程度は記憶している場合であっても、ゴルフクラブ１１及びスイングの組み合わせには非常に多くの組み合わせがあるため、従来のように完全に記憶に頼っているときには適切なゴルフクラブ１１及びスイングの組み合わせを選択するために記憶を想起する時間が長時間必要であるが、ゴルフプレー支援具２０を使用することによってプレーの進行に支障が無い程度の短時間でゴルフクラブ１１及びスイングを選択することができる。
【００７９】
また、ゴルフプレーヤ９０は、対応関係表示シート２１の作成過程や使用過程で、スイング移動距離対応関係を自然にある程度記憶することができる。したがって、ゴルフプレー支援具２０は、ゴルフの初級者や中級者のゴルフに対する興味を増加させることができる。
【００８０】
また、ゴルフプレー支援具２０は、表示する移動距離にキャリー距離及びラン距離を含むので、プレーの状況に応じてゴルフプレーヤ９０にキャリー距離及びラン距離を考慮させながらゴルフクラブ１１及びスイングを選択させることができる。例えば、トータル距離が略同一であるゴルフクラブ１１及びスイングの組み合わせが複数存在する場合、ゴルフプレーヤ９０は、池やバンカーなどの障害を避けるために、キャリー距離を重視してゴルフクラブ１１及びスイングを選択することができる。具体例で説明すると、キャリー距離、ラン距離、トータル距離がそれぞれ８０ｍ、２０ｍ、１００ｍであるゴルフクラブ１１及びスイングの組み合わせＡと、キャリー距離、ラン距離、トータル距離がそれぞれ９０ｍ、１０ｍ、１００ｍであるゴルフクラブ１１及びスイングの組み合わせＢとが存在し、池やバンカーなどの障害が７５ｍ〜８５ｍ先にある場合、ゴルフプレーヤ９０は、キャリー距離が障害までの距離と重なる８０ｍである組み合わせＡではなく、キャリー距離が障害までの距離と重ならない９０ｍである組み合わせＢを選択することができる。
【００８１】
また、ゴルフプレー支援具２０は、ゴルフクラブ１１がパター１４である場合、グリーンの複数の傾斜の程度に対する移動距離を表示するので、実際のグリーンの傾斜の程度をゴルフプレーヤ９０に考慮させながら、ゴルフプレーヤ９０にパター１４のスイングを選択させることができる。
【００８２】
また、ゴルフプレー支援具２０は、対応関係表示シート２１のメモ欄２１ｅにグリーンの特徴やバンカーの特徴など、スイング移動距離対応関係が調べられたときにおけるゴルフボールの移動距離に影響する外部環境の特徴が表示されているので、実際の外部環境の特徴をゴルフプレーヤ９０に考慮させながら、ゴルフプレーヤ９０にゴルフクラブ１１及びスイングの少なくとも一方を選択させることができる。
【００８３】
また、ゴルフプレー支援具２０は、対応関係表示シート２１に表示されたスイング移動距離対応関係の対象となっているゴルフクラブ１１に固定されているので、ゴルフプレーヤ９０がゴルフクラブ１１を選択している動作がゴルフプレーヤ９０以外の人に認識され難い。
【００８４】
また、ゴルフプレー支援具２０は、対応関係表示シート２１がゴルフクラブ１１のヘッド１１ａ側を表示における上側にしてゴルフクラブ１１のシャフト１１ｂに固定されているので、ゴルフプレーヤ９０がゴルフクラブ１１のグリップ１１ｃを握ったときに、ゴルフプレーヤ９０に対応関係表示シート２１を容易に目視させることができる。なお、対応関係表示シート２１は、シャフト１１ｂのみに固定されているが、ゴルフクラブ１１のヘッド１１ａ側を表示における上側にして固定されていれば、シャフト１１ｂ及びグリップ１１ｃの両方に跨って固定されていても、グリップ１１ｃのみに固定されていても、シャフト１１ｂのみに固定されている場合と同様の効果を得ることができる。
【００８５】
また、対応関係表示シート２１は、ゴルフクラブ１１のグリップ１１ｃ寄りのシャフト１１ｂや、グリップ１１ｃに固定されていれば、ゴルフクラブ１１がゴルフバック１５に収納されている状態で人に目視されることがないので、ゴルフプレーヤ９０のスイング移動距離対応関係がゴルフプレーヤ９０以外の人に知られることを抑制することができる。
【００８６】
また、ゴルフプレー支援具２０は、非常に軽量であるので、固定されるゴルフクラブ１１の性能に影響を与えることを抑制することができる。
【００８７】
また、ゴルフプレー支援具２０は、保護シール２２を備えているので、外部からの物理的な接触や浸水による対応関係表示シート２１の破損、紫外線等の光線による対応関係表示シート２１の表示の退色などを抑制することができる。
【００８８】
なお、対応関係表示シート２１におけるスイングの力加減は、"ド"、"レ"、"ミ"、"ファ"、"ソ"、"ラ"、"シ"などの音階で表示されているが、音階以外で表示されていても良い。例えば、対応関係表示シート２１におけるスイングの力加減は、"１"、"２"、"３"、"４"、"５"などの数字や、"Ａ"、"Ｂ"、"Ｃ"、"Ｄ"などのアルファベットや、"い"、"ろ"、"は"、"に"などの平仮名や、"１０度"、"２０度"、"３０度"、"４０度"などの角度や、"１０％"、"２０％"、"３０％"などの割合や、各段階に対応した自分のスイングの写真や、各段階に対応した人型モデルのスイングの模式図など、ゴルフプレーヤ９０が好む任意の表現で表示することができる。
【００８９】
対応関係表示シート２１によって表示される表は、欄の数を減らして文字を大きくしたり、配色等を工夫したりして、目視し易くしても良い。これにより、ゴルフプレー支援具２０は、弱視者や高齢者によって使用され易くなる。
【００９０】
対応関係表示シート２１によって表示されるスイング移動距離対応関係は、本実施の形態においては、表によって表示されているが、本発明によれば、表以外によって表示されるようになっていても良い。例えば、スイング移動距離対応関係は、折れ線グラフなどのグラフによって表示されるようになっていても良い。
【００９１】
対応関係表示シート２１は、保護シール２２によってゴルフクラブ１１に貼り付けられているが、他の方法によって貼り付けられるようになっていても良い。例えば、対応関係表示シート２１は、ゴルフクラブ１１に貼り付けられるための粘着面を自身が有していても良い。
【００９２】
なお、本実施の形態においては、対応関係表示シート２１は、ゴルフプレーヤ９０自身が作成するようになっているが、業者が作成を代行しても良い。例えば、業者は、ゴルフプレーヤ９０が自身で調べたスイング移動距離対応関係をゴルフプレーヤ９０から入手し、入手したスイング移動距離対応関係に基づいてゴルフプレーヤ９０用の対応関係表示シート２１を作成し、作成した対応関係表示シート２１をゴルフプレーヤ９０に販売するようにしても良い。
【００９３】
更に、ゴルフプレー支援具２０が固定されたゴルフクラブ１１も、業者が作成を代行しても良い。例えば、業者は、業者自身又はゴルフプレーヤ９０が作成した対応関係表示シート２１をゴルフプレーヤ９０のゴルフクラブ１１に固定することによって、ゴルフプレーヤ９０から手数料を受け取るようにしても良い。
【００９４】
（第２の実施の形態）
まず、第２の実施の形態に係るゴルフプレー支援具の構成について説明する。
【００９５】
なお、本実施の形態に係るゴルフプレー支援具の構成のうち、第１の実施の形態に係るゴルフプレー支援具２０（図３参照。）の構成と同様な構成については、ゴルフプレー支援具２０の構成と同一の符号を付して詳細な説明を省略する。
【００９６】
図１０は、本実施の形態に係るゴルフプレー支援具１２０の展開図であって、ゴルフクラブ１１に固定された状態を示す図である。
【００９７】
図１０に示すように、ゴルフプレー支援具１２０の構成は、対応関係表示シート２１をゴルフクラブ１１に固定する固定部材１２１を保護シール２２（図３参照。）に代えてゴルフプレー支援具２０（図３参照。）が備えた構成と同様である。
【００９８】
図１０に示すように、固定部材１２１は、対応関係表示シート２１を収納するシート挟み部１２２ａ（図１１参照。）が形成されたプラスチックカバー１２２と、プラスチックカバー１２２を収納するポケット１２３ａ（図１２参照。）が形成されてゴルフクラブ１１のシャフト１１ｂに貼り付けられたポケット付シール１２３とを有している。
【００９９】
図１１は、プラスチックカバー１２２の正面図であって、対応関係表示シート２１が収納されたシート挟み部１２２ａの一部が開かれた状態を示す図である。
【０１００】
図１１に示すように、プラスチックカバー１２２は、２枚の透明の柔らかいプラスチックのシートが重なって構成されており、周囲の４辺のうち辺１２２ｂの近傍部分のみで２枚のプラスチックのシートが固定されることによってシート挟み部１２２ａを形成している。シート挟み部１２２ａは、対応関係表示シート２１より一回り大きい。
【０１０１】
図１２は、ポケット付シール１２３の側面図である。
【０１０２】
図１０及び図１２に示すように、ポケット付シール１２３は、片面に形成された粘着面でゴルフクラブ１１のシャフト１１ｂに貼り付けられたシール１２４と、シール１２４上に配置されて周囲の４辺のうち辺１２５ａを除いた３辺の部分がシール１２４に固定されることによってシール１２４とともにポケット１２３ａを形成した透明の保護カバー１２５とを有している。辺１２５ａの延在方向におけるポケット１２３ａの幅は、辺１２２ｂの延在方向におけるプラスチックカバー１２２の幅より長い。また、辺１２５ａの延在方向とは直交する方向におけるポケット１２３ａの奥行きは、辺１２２ｂの延在方向とは直交する方向におけるシート挟み部１２２ａの奥行きより長く、辺１２２ｂの延在方向とは直交する方向におけるプラスチックカバー１２２の幅より短い。
【０１０３】
なお、プラスチックカバー１２２及びポケット付シール１２３は、ポケット付シール１２３のポケット１２３ａに対してプラスチックカバー１２２が容易に出し入れ可能なように、互いに摩擦が生じ難い材質で形成されている。
【０１０４】
以上に説明したように、固定部材１２１は、対応関係表示シート２１を覆って保護するとともに、対応関係シート２１を収納するようになっており、保護部材及び収納部材を構成している。
【０１０５】
次に、ゴルフプレー支援具１２０の作成方法について説明する。
【０１０６】
まず、ゴルフプレーヤ９０（図２参照。）は、ゴルフクラブ１１のシャフト１１ｂにポケット付シール１２３を貼り付ける。
【０１０７】
次いで、ゴルフプレーヤ９０は、第１の実施の形態において説明した作成方法と同様な方法によって作成した対応関係表示シート２１をプラスチックカバー１２２のシート挟み部１２２ａ内に差し込む。
【０１０８】
そして、ゴルフプレーヤ９０は、プラスチックカバー１２２の辺１２２ｂがポケット付シール１２３のポケット１２３ａの外部に出るように、プラスチックカバー１２２をポケット１２３ａの内部に差し込むことによって、図１０に示すようにゴルフプレー支援具１２０を作成する。
【０１０９】
次に、対応関係表示シート２１の交換方法について説明する。
【０１１０】
まず、ゴルフプレーヤ９０は、スイングの上達などによって対応関係表示シート２１を交換したくなった場合、第１の実施の形態において説明した作成方法と同様な方法によって現在の実力を反映した新たな対応関係表示シート２１を作成し直す。
【０１１１】
次いで、ゴルフプレーヤ９０は、プラスチックカバー１２２のうちポケット付シール１２３のポケット１２３ａの外部に出ている部分を掴んで、プラスチックカバー１２２をポケット１２３ａの内部から引っ張り出す。
【０１１２】
次いで、ゴルフプレーヤ９０は、プラスチックカバー１２２のシート挟み部１２２ａから古い対応関係表示シート２１を抜き出し、新たな対応関係表示シート２１をプラスチックカバー１２２のシート挟み部１２２ａの内部に差し込む。
【０１１３】
そして、ゴルフプレーヤ９０は、プラスチックカバー１２２の辺１２２ｂがポケット付シール１２３のポケット１２３ａの外部に出るように、新たな対応関係表示シート２１を収納したプラスチックカバー１２２をポケット１２３ａの内部に差し込むことによって、対応関係表示シート２１を交換する。
【０１１４】
以上に説明したように、ゴルフプレー支援具１２０は、対応関係表示シート２１の更新を容易化することができる。
【０１１５】
なお、固定部材１２１は、対応関係表示シート２１の材質が容易には折れない硬い材質である場合、ポケット付シール１２３のポケット１２３ａに対して対応関係表示シート２１が直接出し入れされることも可能である。この場合、固定部材１２１は、プラスチックカバー１２２を備えていなくても良い。
【図面の簡単な説明】
【０１１６】
【図１】本発明の第１の実施の形態に係るゴルフクラブセットの斜視図である。
【図２】図１に示すゴルフクラブの正面図である。
【図３】図２に示すゴルフクラブに固定されたゴルフプレー支援具の正面図である。
【図４】図３に示すゴルフプレー支援具の対応関係表示シートの一例の正面図である。
【図５】図３に示すゴルフプレー支援具の対応関係表示シートの図４に示す例とは異なる例の正面図である。
【図６】図３に示すゴルフプレー支援具の作成キットの構成図である。
【図７】図６に示す作成キットの紙の正面図であって、ゴルフプレーヤによるゴルフクラブのスイングと、そのゴルフプレーヤがそのゴルフクラブでそのスイングによってゴルフボールを打ったときのゴルフボールの移動距離との対応関係が印刷された状態を示す図である。
【図８】図６に示す作成キットの紙の正面図であって、ゴルフプレーヤによるゴルフクラブのスイングと、そのゴルフプレーヤがそのゴルフクラブでそのスイングによってゴルフボールを打ったときのゴルフボールの移動距離との対応関係の手書き用の記入欄が印刷された状態を示す図である。
【図９】図３に示すようなゴルフプレー支援具が固定された複数本のゴルフクラブの正面図であって、ゴルフプレーヤによって同時に持たれている状態を示す図である。
【図１０】本発明の第２の実施の形態に係るゴルフプレー支援具の展開図であって、ゴルフクラブに固定された状態を示す図である。
【図１１】図１０に示すゴルフプレー支援具のプラスチックカバーの正面図であって、対応関係表示シートが収納されたシート挟み部の一部が開かれた状態を示す図である。
【図１２】図１０に示すゴルフプレー支援具のポケット付シールの側面図である。
【符号の説明】
【０１１７】
１１  ゴルフクラブ
１１ａ  ヘッド
１１ｂ  シャフト
１１ｃ  グリップ
２０  ゴルフプレー支援具
２１  対応関係表示シート
２２  保護シール（保護部材）
９０  ゴルフプレーヤ
１２０  ゴルフプレー支援具
１２１  固定部材（保護部材、収納部材）
【図１】
2008200351.tif 000003
【図２】
2008200351.tif 000004
【図３】
2008200351.tif 000005
【図４】
2008200351.tif 000006
【図５】
2008200351.tif 000007
【図６】
2008200351.tif 000008
【図７】
2008200351.tif 000009
【図８】
2008200351.tif 000010
【図９】
2008200351.tif 000011
【図１０】
2008200351.tif 000012
【図１１】
2008200351.tif 000013
【図１２】
2008200351.tif 000014